(57)【要約】【課題】撮影画像等とは別に、多くの種類のコンテンツをお気に入りのファイルとして保存しておくことのできるデジタルカメラを提供すること。【解決手段】デジタルカメラ１はマイク１２から音声データを取得することができるように構成される。録音動作によって取得される音声データはメモリカード９０内の撮影画像フォルダに格納される。そしてアルバム登録のための所定の操作が行われた場合、その操作に応答して、撮影画像フォルダに格納あれた音声ファイルからアルバム音声ファイルが生成され、メモリカード９０内のアルバムフォルダに格納される。よって、アルバムフォルダには、録音動作によって撮影画像フォルダに格納される音声ファイルとは別に、お気に入りの音声ファイルが登録される。【選択図】        図３
2004274469.tif 000002
【特許請求の範囲】
【請求項１】
データを記録媒体に記録するように構成されたデジタルカメラであって、
撮影動作によって画像データを生成する撮像手段と、
録音動作によって音声データを生成する音声取得手段と、
撮影操作に応答して、前記撮影動作に伴い又は前記撮影動作を伴うことなく、前記録音動作を行って得られる音声データを含むデータファイルを、前記記録媒体の第１の記録領域に格納する撮影ファイル記録手段と、
所定の操作に応答して前記第１の記録領域に格納された前記データファイルに基づくアルバムファイルを生成し、当該アルバムファイルを前記第１の記録領域とは異なる第２の記録領域に格納するアルバムファイル記録手段と、
を備えるデジタルカメラ。
【請求項２】
請求項１に記載のデジタルカメラにおいて、
前記第２の記録領域に格納された前記アルバムファイルに基づく表示を行う表示手段をさらに備え、
前記撮影ファイル記録手段は、前記録音動作によって得られる音声データが特定の画像データに関連する場合には、当該音声データを前記特定の画像データに関連付けて記録し、
前記アルバムファイル記録手段は、当該音声データに基づくアルバムファイルを生成する際、前記特定の画像データとの関連付けを維持した状態でファイル生成を行うように構成され、
前記表示手段は、表示対象となるアルバムファイルが音声データを含む場合、当該音声データに関連付けられた画像データの有無を識別可能な状態に表示することを特徴とするデジタルカメラ。
【請求項３】
請求項２に記載のデジタルカメラにおいて、
前記表示手段は、表示対象となるアルバムファイルが音声データである場合であって、当該音声データに関連付けられた画像データが存在しない場合には、音声データのみであることを示す表示を行うことを特徴とするデジタルカメラ。
【請求項４】
請求項１に記載のデジタルカメラにおいて、
前記撮影ファイル記録手段は、前記録音動作によって得られる音声データが特定の画像データに関連する場合には、当該音声データを前記特定の画像データに関連付けて記録し、
前記アルバムファイル記録手段は、当該音声データに基づくアルバムファイルを生成する際、前記特定の画像データとの関連付けを維持した状態でファイル生成を行うように構成され、
前記撮影ファイル記録手段は、前記特定の画像データが取得された後に前記録音動作が行われる場合、当該録音動作によって得られる音声データのファイル番号を前記特定の画像データに付与されるファイル番号と異なる番号として前記第１の記録領域に格納し、
前記アルバムファイル記録手段は、前記特定の画像データと異なるファイル番号で前記第１の記録領域に格納された音声データを、前記第２の記録領域に格納する際、当該音声データに関するアルバムファイルのファイル番号を、前記特定の画像データに関するファイル番号と同一番号若しくは連続番号として格納することを特徴とするデジタルカメラ。
【請求項５】
撮影によって得られる静止画若しくは動画に関する画像データを、記録媒体に記録するように構成されたデジタルカメラであって、
撮影操作に応答して撮影動作を行うことによって得られる前記画像データを含むデータファイルを生成し、当該データファイルを前記記録媒体の第１の記録領域に格納する撮影ファイル記録手段と、
所定の操作に応答して前記第１の記録領域に格納された前記データファイルに基づくアルバムファイルを生成し、当該アルバムファイルを前記第１の記録領域とは異なる第２の記録領域に格納するアルバムファイル記録手段と、
を備え、
前記アルバムファイル記録手段は、前記第２の記録領域への格納対象となる前記データファイルが動画に関する画像データである場合、当該動画を構成する複数フレームの一部のフレームのみに基づいて前記アルバムファイルを生成し、前記第２の記録領域に格納することを特徴とするデジタルカメラ。
【発明の詳細な説明】
【０００１】
【発明の属する技術分野】
本発明は、撮影等によって得られるデータを記録媒体に記録するように構成されたデジタルカメラに関する。
【０００２】
【従来の技術】
従来、デジタルカメラにおいて撮影条件を設定するために、予め撮影条件を対応付けた撮影画像のサンプルを複数種類登録しておき、それらのうちから一のサンプルを選択することによって、選択されたサンプルに対応付けられた撮影条件を自動的に設定することができるものが知られている（例えば、特許文献１）。
【０００３】
また、デジタルカメラの操作者（ユーザ）が撮影画像のうちから気に入った撮影画像を選択することにより、その画像をお気に入り画像としてデジタルカメラの内蔵メモリに格納するものも製品化されている（例えば、カシオ社液晶デジタルカメラＥＸ−Ｓ２）。
【０００４】
【特許文献１】
特開２００２−１５２５６７号公報
【０００５】
【発明が解決しようとする課題】
しかしながら、従来のデジタルカメラ（特に、上記カシオ社液晶デジタルカメラＥＸ−Ｓ２）では、操作者の気に入った静止画像のみを内蔵メモリに格納するように構成されており、格納できるコンテンツの多様性に乏しい。
【０００６】
そこで、本発明は、上記課題に鑑みてなされたものであって、撮影画像等とは別に、多くの種類のコンテンツをお気に入りのファイルとして保存しておくことのできるデジタルカメラを提供することを目的としている。
【０００７】
【課題を解決するための手段】
上記目的を達成するために、請求項１に記載の発明は、データを記録媒体に記録するように構成されたデジタルカメラであって、撮影動作によって画像データを生成する撮像手段と、録音動作によって音声データを生成する音声取得手段と、撮影操作に応答して、前記撮影動作に伴い又は前記撮影動作を伴うことなく、前記録音動作を行って得られる音声データを含むデータファイルを、前記記録媒体の第１の記録領域に格納する撮影ファイル記録手段と、所定の操作に応答して前記第１の記録領域に格納された前記データファイルに基づくアルバムファイルを生成し、当該アルバムファイルを前記第１の記録領域とは異なる第２の記録領域に格納するアルバムファイル記録手段と、を備えて構成される。
【０００８】
請求項２に記載の発明は、請求項１に記載のデジタルカメラにおいて、前記第２の記録領域に格納された前記アルバムファイルに基づく表示を行う表示手段をさらに備え、前記撮影ファイル記録手段が、前記録音動作によって得られる音声データが特定の画像データに関連する場合には、当該音声データを前記特定の画像データに関連付けて記録し、前記アルバムファイル記録手段が、当該音声データに基づくアルバムファイルを生成する際、前記特定の画像データとの関連付けを維持した状態でファイル生成を行うように構成され、前記表示手段が、表示対象となるアルバムファイルが音声データを含む場合、当該音声データに関連付けられた画像データの有無を識別可能な状態に表示することを特徴としている。
【０００９】
請求項３に記載の発明は、請求項２に記載のデジタルカメラにおいて、前記表示手段が、表示対象となるアルバムファイルが音声データである場合であって、当該音声データに関連付けられた画像データが存在しない場合には、音声データのみであることを示す表示を行うことを特徴としている。
【００１０】
請求項４に記載の発明は、請求項１に記載のデジタルカメラにおいて、前記撮影ファイル記録手段が、前記録音動作によって得られる音声データが特定の画像データに関連する場合には、当該音声データを前記特定の画像データに関連付けて記録し、前記アルバムファイル記録手段が、当該音声データに基づくアルバムファイルを生成する際、前記特定の画像データとの関連付けを維持した状態でファイル生成を行うように構成され、前記撮影ファイル記録手段は、前記特定の画像データが取得された後に前記録音動作が行われる場合、当該録音動作によって得られる音声データのファイル番号を前記特定の画像データに付与されるファイル番号と異なる番号として前記第１の記録領域に格納し、前記アルバムファイル記録手段は、前記特定の画像データと異なるファイル番号で前記第１の記録領域に格納された音声データを、前記第２の記録領域に格納する際、当該音声データに関するアルバムファイルのファイル番号を、前記特定の画像データに関するファイル番号と同一番号若しくは連続番号として格納することを特徴としている。
【００１１】
請求項５に記載の発明は、撮影によって得られる静止画若しくは動画に関する画像データを、記録媒体に記録するように構成されたデジタルカメラであって、撮影操作に応答して撮影動作を行うことによって得られる前記画像データを含むデータファイルを生成し、当該データファイルを前記記録媒体の第１の記録領域に格納する撮影ファイル記録手段と、所定の操作に応答して前記第１の記録領域に格納された前記データファイルに基づくアルバムファイルを生成し、当該アルバムファイルを前記第１の記録領域とは異なる第２の記録領域に格納するアルバムファイル記録手段と、を備え、前記アルバムファイル記録手段が、前記第２の記録領域への格納対象となる前記データファイルが動画に関する画像データである場合、当該動画を構成する複数フレームの一部のフレームのみに基づいて前記アルバムファイルを生成し、前記第２の記録領域に格納することを特徴としている。
【００１２】
【発明の実施の形態】
以下、本発明の実施の形態について図面を参照しつつ詳細に説明する。
【００１３】
＜構成概要＞
図１および図２は、本発明の実施形態に係るデジタルカメラ１の外観構成を示す図である。図１は正面側からみた概略斜視図であり、図２は背面側からみた概略斜視図である。図１および図２に示すように、デジタルカメラ１は、薄型の略直方体形状を有している。
【００１４】
図１に示すように、デジタルカメラ１は、その正面側に撮影レンズ２と光学ファインダー４とフラッシュ６とを備えており、その上面側に電源スイッチ３とシャッタボタン（レリーズボタン）９とマイク１２とを備えている。また、図２に示すように、デジタルカメラ１は、その背面側に液晶表示部（以下、ＬＣＤという。）５とボタン群７，８とクイックレビューボタン（以下、ＱＶボタンとも称する）１１とスピーカ１３とを備えている。ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１および図２に示すように、デジタルカメラ１は、その側方の面に蓋１４とＤＣ入力端子１５とＵＳＢ端子１６とＡＶ出力端子１７とを備えている。
【００１５】
後述するように、デジタルカメラ１は、撮影レンズ２からの被写体像をＣＣＤ（撮像素子）２０（図３）によって光電変換することなどによって、被写体に関する画像データを取得する。
【００１６】
また、電源ボタン３は、電源のオン操作およびオフ操作を受け付けるために用いられる。具体的には、電源ボタン３を押下するごとにオン状態への移行とオフ状態への移行とが交互に繰り返される。
【００１７】
シャッタボタン９はユーザ（操作者）による半押し状態（以下、状態Ｓ１とも称する）と全押し状態（以下、状態Ｓ２とも称する）とを区別して検出可能な２段階押し込みスイッチとなっており、半押し状態のときに自動合焦制御を開始し、全押し状態のときに記録用画像を撮影するための本撮影動作を開始する。
【００１８】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００１９】
操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００２０】
また、ＱＶボタン１１は、撮影モードと再生モードとアルバム再生モード（後述）と切り替える機能を有している。具体的には、後述するように、原則としてＱＶボタン１１が押下されるごとに、これら３つのモードが順次に且つ循環的に（サイクリックに）選択される。
【００２１】
メニューボタン８ｂは、ＬＣＤ５へのメニューの表示および非表示を切り替える機能を有している。具体的には、メニューボタン８ｂが押下されるごとに、メニュー画面と非メニュー画面とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定、アルバム登録等を行うことが可能である。
【００２２】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００２３】
液晶モニターボタン８ｄは、液晶モニターの表示・非表示を切り替えるためのボタンである。液晶モニターボタン８ｄが押下されるごとに、液晶モニターに画像等が表示された状態（表示状態）と表示されない状態（非表示状態）とが交互に切り替わる。非表示状態にしておけば消費電力を低減できる。
【００２４】
また、マイク１２は、動画撮影、ボイスメモ、ボイスレコーディング、アフターレコーディング（アフレコ）時において、音声データを取得する（録音する）ために用いられる。
【００２５】
スピーカ１３は、音声を出力する機能を有しており、音声データあるいは音声付き画像データ（静止画、動画）を再生するときなどに用いられる。
【００２６】
さらに、蓋１４は、電池室およびメモリカード装着部を覆う部分に設けられている。言い換えれば、蓋１４の内部側には、電源電池ＢＴを収容する電池室と着脱自在な記録媒体であるメモリカード９０を装着するメモリカード装着部とが設けられている。電源電池ＢＴおよびメモリカード９０は、それぞれ、電池室およびメモリカード装着部に対して着脱自在に構成される。本撮影によって得られる撮影画像データおよび後述するアルバム画像データ等は、このメモリカード装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００２７】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００２８】
ＡＶ出力端子１７は、テレビなどの外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００２９】
次に、図３を参照しつつ、デジタルカメラ１の内部構成について説明する。図３は、デジタルカメラ１の内部機能を示すブロック図である。
【００３０】
ＣＣＤ（撮像素子）２０は被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３１】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３２】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００３３】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００３４】
操作部３０は、上述した電源ボタン３、ボタン群７，８、シャッタボタン９、ＱＶボタン１１等を含む操作部であり、ユーザがデジタルカメラ１の設定状態を変更操作する際や撮影操作を行う際等に用いられる。
【００３５】
電源４０は、デジタルカメラ１に対する電力供給源である。デジタルカメラ１は、リチウムイオン電池などの二次電池を電源電池ＢＴとして用いて駆動される。
【００３６】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する制御手段として機能する。全体制御部５０は、たとえば、ライブビュー表示処理、およびメモリカードへの記録処理などをも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００３７】
全体制御部５０は、画像処理部５１、圧縮／伸張部５２、音声処理部５３を有している。これらの各処理部５１，５２，５３は、マイクロコンピュータが所定のプログラムを実行することにより実現される機能部である。
【００３８】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００３９】
また、カードインタフェース（カードＩ／Ｆ）６０は、デジタルカメラ１側面のメモリカード装着部に対して装着されるメモリカード９０への画像データの書込み及び読出しを行うためのインタフェースである。
【００４０】
メモリカード９０に対する画像データの読み書き時には、圧縮・伸張部５２において例えばＪＰＥＧ方式で画像データの圧縮処理または伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００４１】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００４２】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００４３】
＜撮影画像およびアルバム画像＞
つぎに、撮影画像およびアルバム画像について説明する。
【００４４】
図４はメモリカード９０内のフォルダ構成を概念的に示す図である。デジタルカメラ１では、例えば図４に示すように、撮影動作に伴って生成される撮影画像のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成された記録領域（以下、フォルダという）に記録される。ここでは、各撮影画像ファイルは、フォルダ「１００ＭＬＴ０９」の中に格納される。フォルダ「１００ＭＬＴ０９」は、フォルダ「ＤＣＩＭ」の下に作成されるフォルダであり、フォルダ「ＤＣＩＭ」は、ルートフォルダの下に作成されるフォルダである。以下、このフォルダ「１００ＭＬＴ０９」を「撮影画像フォルダ」とも称する。
【００４５】
よって、デジタルカメラ１において撮影モードが機能し、記録用画像を撮影するための本撮影動作が行われた場合、それによって得られる撮影画像は、メモリカード９０内の撮影画像フォルダに格納されることになる。換言すれば、撮影画像フォルダは、撮影モード時に取得される撮影画像等を記録するためにアクセス対象となる領域である。
【００４６】
各撮影画像ファイルの名称は、例えば「Ｐｉｃｔ０００５．ｊｐｇ」などのように、先頭の８文字（Ｐｉｃｔ０００５）とそれに続くピリオド（．）と３文字の拡張子（ｊｐｇ）とで構成されている。先頭の８文字のうち、前半の４つのアルファベットは、種別（撮影画像等の撮影ファイル（後述）であること）を表しており、後半の４つの数字は撮影画像（撮影ファイル）の作成順に連続的に付与されるシリアル番号（ファイル番号）である。
【００４７】
したがって、デジタルカメラ１による撮影動作を繰り返すことによって、メモリカード９０内には、「Ｐｉｃｔ０００１．ｊｐｇ」，「Ｐｉｃｔ０００２ｊｐｇ」，「Ｐｉｃｔ０００３．ｊｐｇ」，「Ｐｉｃｔ０００４．ｊｐｇ」，「Ｐｉｃｔ０００５．ｊｐｇ」，「Ｐｉｃｔ０００６ｊｐｇ」，．．．という名称のファイルがこの順序で作成されて格納される。
【００４８】
さて、このデジタルカメラ１においては、撮影画像のうち操作者が気に入った画像を、撮影画像と区別して登録しておくことができる。この明細書においては、このような機能を「アルバム登録機能」と称するものとし、アルバム登録される画像を「アルバム画像」と称するものとする。また、各アルバム画像は、撮影画像とは異なるフォルダ（具体的には、フォルダ「ＡＬＢＵＭ」）に、撮影画像とは別個の画像として格納される。アルバム画像の登録用のフォルダ「ＡＬＢＵＭ」は、例えばルートフォルダの下に作成される。以下、このフォルダ「ＡＬＢＵＭ」を「アルバムフォルダ」とも称する。
【００４９】
また、各アルバム画像のファイルの名称は、撮影画像と同様のルールに基づいて付与される。ただし、ファイル名の先頭の８文字のうち、前半の４つのアルファベット（Ａｌｂｍ）は、種別（アルバム登録されたものであること）を表しており、後半の４つの数字はアルバム画像等の作成順に応じて連続的に付与されるシリアル番号（ファイル番号）である。
【００５０】
図４に示すように、たとえば、操作者が「Ｐｉｃｔ０００６．ｊｐｇ」という名称のファイルをお気に入りの画像としてアルバム登録すると、「Ａｌｂｍ０００３．ｊｐｇ」という名称のアルバム画像のファイル（アルバム画像ファイル）が生成される。ここでは、３番目のアルバム画像が生成される場合を想定しているので、生成されたアルバム画像ファイルのシリアル番号が「０００３」になっている。
【００５１】
また、アルバムフォルダは、アルバム画像ファイル等の他に、アルバム登録された複数のファイルに関する基本情報を記録したファイル（以下、「アルバム情報ファイル」とも称する）を有している。このアルバム情報ファイルは、図４において「Ａｌｂｕｍ．ｉｎｆ」という名称のファイルとして示されており、図６のような構成を有している。アルバム情報ファイルには、図６に示すように、アルバムファイル名、アルバムファイルのファイル属性、登録元の撮影ファイル名、撮影に使用したデジタルカメラのシリアル番号、および、撮影日時等に関する情報がアルバムファイル毎に一覧形式で格納される。よって、アルバム登録されたファイルの状態は、このアルバム情報ファイルによって容易に把握することができる。
【００５２】
このようなアルバム登録機能によれば、操作者は撮影画像のうち気に入った画像をアルバム画像として登録しておくことができる。
【００５３】
アルバム画像は撮影画像とは区別して扱われるので、撮影画像をパソコンなどの外部機器に移動させてメモリカード９０内から消去した後であっても、アルバム登録された画像はメモリカード９０内に残存することになる。そのため、操作者は、撮影画像はメモリカード９０から消去された後であっても、アルバム登録されている気に入った画像を、メモリカード９０内から読み出してＬＣＤ５に表示させることなどができる。すなわち、気軽に閲覧することができる。特に、メモリカード９０であれば内蔵メモリに比べて容量の大きいものを使用することが可能であるため、内蔵メモリにアルバム画像を格納しておく場合に比べて、さらに多くの画像を格納しておくことが可能である。
【００５４】
また、メモリカード９０内に残存しているアルバム画像を用いて、印刷を行うこともできる。これによれば、気に入った画像を気軽に印刷することができる。特に、ダイレクトプリント対応のプリンタにメモリカード９０を直接挿入してダイレクトプリントを行えば、気に入った画像を非常に簡易に印刷することが可能になる。
【００５５】
図５は各ファイルの構成を概念的に示す図である。図５では、撮影画像ファイルの構成を示しているが、アルバム画像ファイルも同様の構成を有している。
【００５６】
図５に示すように、各撮影画像ファイルは、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有している。このうち、タグ情報ＴＧには、「ファイル名」、「撮影日時」、「撮影に使用されたカメラのシリアルナンバー」、「関連する音声ファイル」、および「アルバム登録の有無」などの情報が含まれている。
【００５７】
また、各アルバム画像ファイルも、同様の形式（ここではＥｘｉｆ形式）のファイルとして作成される。各アルバム画像のファイルは、同様に、タグ情報ＴＧと、ＪＰＥＧ形式で圧縮された高解像度の画像データＤＰと、サムネイル表示用の画像データＤＭとを有している。ただし、データ量を低減するため、高解像度の画像データＤＰとしては、撮影画像の解像度よりも低い解像度の画像信号に変換されたデータを格納しておくものとする。具体的には、このアルバム画像の画像データＤＰは、圧縮された状態でメモリカード９０に格納されている１６００×１２００画素のサイズの撮影画像の画像データＤＰを圧縮／伸張部５２により一旦伸張し、画像処理部５１などによる解像度変換処理によって６４０×４８０画素のサイズに変換した後、さらに圧縮／伸張部５２によりＪＰＥＧ形式で再圧縮することによって生成される。また、上記において例示した撮影画像ファイルのタグ情報ＴＧのうち、「アルバム登録の有無」はアルバム画像ファイルに不要であるが、「撮影日時」、「撮影に使用されたカメラのシリアルナンバー」、および「関連する音声ファイル」などの情報はそのままアルバム画像ファイルのタグ情報ＴＧとして引き継がれる。
【００５８】
また、各ファイルには、その属性ＡＴが定められている。具体的には、「読み取り専用属性（Ｒ）」、「アーカイブ属性（Ａ）」、「システムファイル属性（Ｓ）」、および「隠しファイル属性（Ｈ）」の４つの属性のいずれかが各ファイルに対して決定される。「アーカイブ属性」が与えられたファイルに対しては、読出動作および書込動作の両方が許可される。また「読み取り専用属性」が与えられたファイルに対しては、読出動作のみが許可され、書込動作や削除動作等のデータ内容を改変する動作が禁止される。
【００５９】
撮影モード時における撮影動作に伴って撮影画像フォルダに格納される撮影画像ファイルには、その時点において「アーカイブ属性（Ａ）」が付与される。一方、アルバム画像ファイルには、アルバムフォルダへの登録時点において「読み取り専用属性（Ｒ）」が付与される。このように、アルバム画像ファイルに対しては「読み取り専用属性（Ｒ）」が初期的に付与されるため、気に入った画像として登録された大事なアルバム画像を誤操作で消去してしまうことを回避することができる。
【００６０】
なお、このデジタルカメラ１では静止画像の撮影だけでなく、動画の撮影および音声の録音等を行うことも可能である。この明細書では、このような撮影動作や録音動作等によって得られるデータファイルを「撮影ファイル」と総称するものとする。また、アルバム登録の対象となるデータも静止画像に限定されず、動画像、音声などの撮影ファイルもまたアルバム登録の対象となる。この明細書では、撮影ファイルに対応して新規に作成されてアルバム登録されたファイルを「アルバム登録ファイル（ないしアルバム登録オブジェクト）」あるいは単に「アルバムファイル」と称するものとする。以下では、画像（特に静止画像）を中心にそのアルバム登録動作等について説明する。
【００６１】
＜デジタルカメラにおける状態遷移の概略＞
図７は、デジタルカメラ１における状態遷移図であり、ＬＣＤ５における表示状態を中心に示す図である。図７の角丸四角の中には、ＬＣＤ５における表示画面が示されている。アルバム登録動作の詳細について説明する前に、図７を参照しながらデジタルカメラ１における状態遷移の概要について説明する。
【００６２】
まず、電源ボタン３の押下に応じて電源がオン状態にされると、デジタルカメラ１は状態ＳＴ１０に移行する。状態ＳＴ１０においては、デジタルカメラ１は「撮影モード」に設定され、撮影のためのプレビュー画像であるライブビュー画像がＬＣＤ５に表示される。「撮影モード」は画像（動画、静止画）あるいは音声を、撮影あるいは録音するモードである。
【００６３】
また、デジタルカメラ１は、上述したように、「撮影モード」の他に、「再生モード」および「アルバム再生モード」を有している。「再生モード」は撮影画像（および録音音声等）のファイルを再生するモードであり、「アルバム再生モード」はアルバムファイルを再生するモードである。
【００６４】
これらのモードの切替には、ＱＶボタン１１が用いられる。原則として、ＱＶボタン１１が押下されるごとに、デジタルカメラ１は３つのモードに対して順次に且つ循環的に（サイクリックに）移行する。ただし、例外的に、撮影ファイルがメモリカード９０内に存在しないときには「再生モード」には移行せず、アルバムファイルがメモリカード９０内に存在しないときには「アルバム再生モード」には移行しない。
【００６５】
以下では、このモード切替についてさらに詳細に説明する。
【００６６】
状態ＳＴ１０においてＱＶボタン１１が一度押下されると、メモリカード９０の撮影画像フォルダ内に撮影ファイルが保存（格納）されているか否かが判定される（状態ＳＴ４１）。
【００６７】
そして、メモリカード９０の撮影画像フォルダ内に撮影ファイルが１つでも記録されていれば状態ＳＴ２０に移行する。状態ＳＴ２０は、デジタルカメラ１が「再生モード」に設定され、ＬＣＤ５に再生画像等が表示されている状態である。状態ＳＴ２０に移行すると、直近に撮影された画像等がＬＣＤ５に最初に表示される。また、左右方向のキー７ｃまたは７ｄを押下するごとに、ＬＣＤ５での表示対象ファイルが前方向あるいは後方向に順次に変更される。
【００６８】
一方、メモリカード９０の撮影画像フォルダ内に撮影ファイルが１つも記録されていない場合には状態ＳＴ４２に移行する。
【００６９】
また、状態ＳＴ２０においてＱＶボタン１１がもう一度押下されたときにも、状態ＳＴ４２に移行する。
【００７０】
状態ＳＴ４２においては、メモリカード９０のアルバムフォルダ内にアルバムファイルが格納（保存）されているか否かが判定される。
【００７１】
そして、メモリカード９０のアルバムフォルダ内にアルバムファイルが１つでも記録されていれば状態ＳＴ３０に移行する。状態ＳＴ３０は、デジタルカメラ１が「アルバム再生モード」に設定され、ＬＣＤ５にアルバム画像等が表示されている状態である。状態ＳＴ３０に移行すると、直近に登録されたアルバム画像等がＬＣＤ５に最初に表示される。また、左右方向のキー７ｃまたは７ｄを押下するごとに、ＬＣＤ５での表示対象ファイルが前方向あるいは後方向に順次に変更される。
【００７２】
一方、メモリカード９０のアルバムフォルダ内にアルバムファイルが１つも記録されていない場合には状態ＳＴ４３に移行し、メモリカード９０内に撮影ファイルが１つも記録されていないか否かが判定される。そして、メモリカード９０内に撮影ファイルもアルバムファイルも全く記録されていないと判定される場合には状態ＳＴ４４に移行し、「メモリカードに画像がありません」という文字を表示して状態ＳＴ１０に戻る。メモリカード９０内に撮影ファイルは記録されていると判定される場合には、状態ＳＴ４１に移行することなくそのまま状態ＳＴ１０に復帰する。
【００７３】
また、状態ＳＴ３０においてＱＶボタン１１がもう一度押下されたときにも、状態ＳＴ１０に再び移行する。
【００７４】
以上の動作によれば、撮影ファイルおよびアルバムファイルの双方がともにメモリカード９０内に記録されているときには、ＱＶボタン１１が押下されるごとに、これら３つのモード（「撮影モード」、「再生モード」、「アルバム再生モード」）が順次に且つ循環的に（サイクリックに）選択される。また、メモリカード９０内に撮影ファイルが記録されているもののアルバムファイルが記録されていないときには、ＱＶボタン１１の押下に応答して、「撮影モード」と「再生モード」とが順次に且つ循環的に選択される。さらに、メモリカード９０内にアルバムファイルが記録されているものの撮影ファイルが記録されていないときには、ＱＶボタン１１の押下に応答して、「撮影モード」と「アルバム再生モード」とが順次に且つ循環的に選択される。また、メモリカード９０内にアルバムファイルも撮影ファイルも記録されていないときには、「撮影モード」のみしか選択できない。このとき、ＱＶボタン１１の押下に応答して、「メモリカードに画像がありません」という文字がＬＣＤ５に表示されるので、操作者はモード変更が不可能であることを認識できる。
【００７５】
つぎに、状態ＳＴ１０，ＳＴ２０，ＳＴ３０からの更なる状態遷移について説明する。
【００７６】
状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモードへの変更等を行うことが可能な状態であり、撮影種類等を設定するための「撮影メニュー」がＬＣＤ５に表示される。状態ＳＴ１１においては、ライブビュー画像が背景画像として表示されたまま、撮影メニュー画面がオーバーレイ表示される。
【００７７】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定を行うことが可能な状態であり、各種の設定動作を行うためのメニュー画面である「再生メニュー」がＬＣＤ５に表示される。状態ＳＴ２１においては、再生中の撮影画像が背景画像として表示されたまま、再生メニュー画面がオーバーレイ表示される。
【００７８】
さらに、状態ＳＴ３０においてメニューボタン８ｂを押下すると状態ＳＴ３１へと移行し、再びメニューボタン８ｂを押下すると状態ＳＴ３０に戻る。状態ＳＴ３１は、アルバム再生モードでの各種の設定を行うことが可能な状態であり、各種の設定動作を行うためのメニュー画面である「アルバム再生メニュー」がＬＣＤ５に表示される。状態ＳＴ３１においては、再生中のアルバム画像が背景画像として表示されたまま、アルバム再生メニュー画面の各項目がオーバーレイ表示される。
【００７９】
また、図８、図９、および図１０は、それぞれ、状態ＳＴ１１、状態ＳＴ２１、状態ＳＴ２２でのＬＣＤ５に表示されるメニュー画面Ｇ１１，Ｇ２１，Ｇ３１を示す図である。
【００８０】
図８は、状態ＳＴ１１における撮影メニュー画面Ｇ１１の一例を示す図である。この撮影メニュー画面Ｇ１１などを用いた各種の設定操作によれば、撮影の種類を変更することなどが可能である。具体的には、メニュー画面Ｇ１１の中から「単写」又は「連写」を選択すれば静止画像の撮影が可能であり、「動画」を選択すれば動画の撮影が可能である。また、音声の録音動作を行うことも可能である。たとえば、「ボイスメモ」を選択すれば、１枚の静止画像の撮影後の一定期間にわたって音声を記録することができる。また、「ボイスレコード」を選択すれば、静止画像の記録を伴うことなく、音声のみを録音することができる。
【００８１】
図９は、状態ＳＴ２１における再生メニュー画面Ｇ２１の一例を示す図であり、図１０は、状態ＳＴ３１におけるアルバム再生メニュー画面Ｇ３１の一例を示す図である。メニュー画面Ｇ２１，Ｇ３１などを用いた各種の操作によれば、撮影画像等に対する様々な設定動作を行うことが可能である。
【００８２】
図９と図１０とを比較すると判るように、再生メニュー画面Ｇ２１とアルバム再生メニュー画面Ｇ２２とは類似の構成を有している。具体的には、「プロテクト」、「削除」、「スライドショー」、「プリント指定」、「カメラのセットアップ」の各項目は、いずれのメニューにおいても存在している。すなわち、両メニュー画面Ｇ２１，Ｇ２２の項目は、部分的に一致している。したがって、操作者は、共通操作で同様の設定動作を行うことができるので、操作性が高い。詳細に言えば、再生モードおよびアルバム再生モードのいずれのモードにおいても、「プロテクト」、「削除」、「スライドショー」、「プリント指定」、「カメラのセットアップ」の各項目に関する設定動作を、同様のメニュー画面を用いた類似の操作で実現することができる。
【００８３】
また、その一方で、再生モードにおけるメニュー画面Ｇ２１には「再生メニュー」であることが明示され、アルバム再生モードにおけるメニュー画面Ｇ３１には「アルバム再生メニュー」であることが明示される。したがって、操作者は、ＬＣＤ５に表示されているメニュー画面が、再生モードにおけるメニュー画面Ｇ２１であるのか、あるいは、アルバム再生モードにおけるメニュー画面Ｇ３１であるのかを、確実に認識することが可能である。
【００８４】
また、メニュー画面の各項目の左端には、３つの種類の記号（具体的には、白い菱形、黒い菱形、×印）のいずれかが表示される。×印は選択不可能な項目であることを意味し、菱形の記号は選択可能な項目であることを意味している。また、黒い菱形は現在選択されている項目を意味している。操作者が、上下方向のキー７ａまたは７ｂを用いて選択項目を変更し、所望の選択項目の記号が黒い菱形に変更された状態で、実行ボタン８ａを押下すると、その選択項目に対する動作（具体的には、更なるサブメニュー画面の表示）が実行される。
【００８５】
尚、×印の付与に代えて、選択項目の文字を淡く表示することにより選択不可能な項目であることを意味するようにしてもよい。
【００８６】
＜アルバム登録＞
つぎに、アルバム登録動作について詳細に説明する。
【００８７】
図１１〜図１３は、登録手順について説明するための図である。図１１は、再生モードにおける状態遷移図を示している。図１２は登録動作の全体の流れを示すフローチャートであり、図１３はその一部の流れを示すフローチャートである。
【００８８】
まず、図１１に示すように、状態ＳＴ２０においてメニューボタン８ｂを押下すると状態ＳＴ２１に移行する。そして、状態ＳＴ２１でＬＣＤ５に表示される再生メニュー画面Ｇ２１において「アルバムに追加登録」という項目を選択して、実行ボタン８ａを押下すると、状態ＳＴ２２に移行する。なお、状態ＳＴ２２において、メニューボタン８ｂを押下すれば状態ＳＴ２１に戻ることができる。
【００８９】
状態ＳＴ２２においては、追加登録のための再生メニュー画面Ｇ２２が表示される。状態ＳＴ２２の再生メニュー画面Ｇ２２においては、再生中の撮影画像が背景画像として表示されたままで、メニュー項目がオーバーレイ表示される。
【００９０】
この再生メニュー画面Ｇ２２においては、「この画像」および「一括」の２つの項目が表示されている。前者の項目「この画像」は、その時点で再生メニュー画面の背景に表示されている撮影画像を１枚ずつ登録することを指示するためのコマンドであり、後者の項目「一括」は、撮影画像フォルダ（「１００ＭＬＴ０９」（図４参照））内の全ての撮影画像を一括して登録することを指示するためのコマンドである。
【００９１】
この再生メニュー画面Ｇ２２で、いずれかの項目が選択された後に実行ボタン８ａが押下されると、デジタルカメラ１はアルバム登録動作を実行する。
【００９２】
このアルバム登録動作について、図１２を参照しつつ説明する。
【００９３】
まず、ステップＳＰ５０において、一括登録の指示が与えられているのか否かが判定される。一括登録の指示が与えられている場合には、ステップＳＰ５１に進み、そうでない場合（すなわち画像を１つずつ登録する旨の指示が与えられている場合）には、ステップＳＰ６１に進む。
【００９４】
ステップＳＰ５１においては、メモリカード９０の空き容量が確認される。そして、一括登録に必要な容量（言い換えれば、撮影画像フォルダ内の全ファイルをアルバム登録するために必要な容量）とメモリカード９０内の空き容量（未使用領域の容量）とが比較される。一括登録に必要な容量がメモリカード９０内に残存していないと判定されると、メモリカードが容量不足であることを示す文字等がＬＣＤ５に一定期間（例えば数秒間）にわたって表示され（ステップＳＰ５９）、状態ＳＴ２１（図１１）に戻る。一方、一括登録に必要な容量がメモリカード９０内に残存していると判定されると、ステップＳＰ５２に進む。
【００９５】
ステップＳＰ５２においては、撮影画像フォルダ内の最初のファイル（シリアル番号が最も小さなファイル）が処理対象ファイルとして指定される。
【００９６】
ステップＳＰ５３においては、追加登録処理の対象となっているファイルが既にアルバム登録されているファイルでないことが確認される。すなわち、重複登録がチェックされる。
【００９７】
処理対象ファイルが既にアルバム登録されている場合には、ステップＳＰ５５に進み、例えば、既に登録されている旨を示す文字等が警告としてＬＣＤ５に表示される。そして、重複登録を回避するため、処理対象ファイルのアルバム登録が禁止され、処理対象ファイルをアルバム登録することなく、ステップＳＰ５６に進む。
【００９８】
一方、処理対象ファイルが未だアルバム登録されていない場合には、ステップＳＰ５４のアルバムファイル作成処理に進む。
【００９９】
図１３は、ステップＳＰ５４，ＳＰ６４におけるアルバムファイル作成処理の詳細動作（ステップＳＰ７０）を示すフローチャートである。ここでは、登録処理の対象ファイルが静止画像ファイルであることを前提に説明を行う。
【０１００】
まず、ステップＳＰ７１において、対象の撮影画像ファイルの高解像度（１６００×１２００画素）の画像データを伸張し、その画像データをステップＳＰ７２においてＶＧＡサイズ（６４０×４８０画素）にリサイズして再圧縮する。
【０１０１】
ステップＳＰ７３においては、新規のアルバム画像ファイルのファイル名が決定される。特に、新規ファイル名のシリアル番号が決定される。具体的には、デジタルカメラ１は、アルバム情報ファイル（「Ａｌｂｕｍ．ｉｎｆ」（図６参照））を参照し、既登録ファイルのシリアル番号のうち最も大きな番号（即ち最も新しく登録されたファイルのシリアル番号）を１つインクリメントした番号を、新規ファイルのシリアル番号として決定する。たとえば、図６に示すように、最後の登録ファイルが「Ａｌｂｍ００９４．ｊｐｇ」である場合には、新規ファイルのシリアル番号は「００９５」になる。このとき、新規のアルバム画像ファイルの名称は、「Ａｌｂｍ００９５．ｊｐｇ」に決定される。この名称は、アルバムファイルであることを示す「Ａｌｂｍ」とそのシリアル番号とデータ内容の種類が静止画像であることを示す拡張子「ｊｐｇ」とを合成して生成される。
【０１０２】
ステップＳＰ７４においては、ＶＧＡサイズにリサイズされ、ＪＰＥＧ方式などで圧縮処理されたデータを用いて、この名称「Ａｌｂｍ００９５．ｊｐｇ」を有するアルバム画像ファイルを作成する。そして、ステップＳＰ７５において、さらにこの新規ファイルの属性を読み取り専用（リードオンリー）に設定する。これにより、この新規ファイルにプロテクトがかかることになる。
【０１０３】
その後、ステップＳＰ７６において、アルバム情報ファイル（「Ａｌｂｕｍ．ｉｎｆ」）にファイル「Ａｌｂｍ００９５．ｊｐｇ」の情報を追記して、アルバム情報ファイルを更新する。
【０１０４】
再び、図１２を参照する。
【０１０５】
次のステップＳＰ５６において、全ての撮影画像についてアルバム登録が終了したか否かが判定される。
【０１０６】
未処理の撮影画像が撮影画像フォルダ内に存在する場合には、次のファイルを処理対象ファイルとして指定（ステップＳＰ５７）した後、進行状況表示を行い（ステップＳＰ５８）、再びステップＳＰ５３以降の処理を繰り返す。進行状況表示には、アルバム登録中であること、および処理中のファイルが何番目のものであるかが示される。たとえば、「アルバム登録しています。．．．２／１０」という表示によって、全１０個のファイルのうち２番目のファイルを処理中であることを示すことができる。
【０１０７】
一方、全て完了している場合には、このルーチンを終了し、状態ＳＴ２１に復帰する。
【０１０８】
また、ステップＳＰ５０からステップＳＰ６１に進んだ場合（個別登録の指示が与えられた場合）にも同様の処理が行われる。ステップＳＰ６１，ＳＰ６３，ＳＰ６４，ＳＰ６５は、それぞれ、ステップＳＰ５１，ＳＰ５３，ＳＰ５４，ＳＰ５５と同様の処理である。ただし、ステップＳＰ６１においては、１つのファイルのアルバム登録に必要な容量がメモリカード９０内に残存しているか否かが判定される。
【０１０９】
ところで、上記のステップＳＰ５３，ＳＰ６３における重複登録チェックにおいては、例えばアルバム情報ファイル「Ａｌｂｕｍ．ｉｎｆ」の情報が用いられる。
【０１１０】
アルバム情報ファイルには、図６に示すように、登録された複数のアルバムファイルのそれぞれに関する情報が含まれている。すなわち、上述したように、アルバム情報ファイルには、アルバムフォルダ内に含まれる各アルバムファイルに関する、ファイル名称、ファイル属性、登録元の撮影画像ファイルのファイル名、撮影に使用したデジタルカメラのシリアル番号、および撮影日時の情報が記述されている。
【０１１１】
たとえば、アルバムファイル「Ａｌｂｍ０００３．ｊｐｇ」に関しては、そのファイル属性が読み取り専用（リードオンリー）であり、対応するアルバム登録時の元画像は「Ｐｉｃｔ０００６．ｊｐｇ」であり、その元画像の撮影日時は２００２年１２月０１日１２時３４分５６秒であり、撮影に使用されたデジタルカメラの製品シリアル番号は「０１２３４５６７」であることが記述されている。なお、製品シリアル番号は、各デジタルカメラ１のＲＯＭ５０ｂなどに格納されており、撮影時に読み出され撮影画像ファイルのタグ情報ＴＧに記述されている。また、撮影日時もタグ情報ＴＧに記述されている。そのため、デジタルカメラ１は、各登録対象ファイルのタグ情報ＴＧの情報を読み出して、各種の情報をアルバム情報ファイルに記録することができる。
【０１１２】
上記のステップＳＰ５３，ＳＰ６３においては、アルバム登録における元画像のファイル名とデジタルカメラのシリアル番号と撮影日時との３つの条件が、登録対象のファイルと既登録のファイルとの間で全て一致するか否かによって、登録対象のファイルが既登録のものか否かを判定する。元画像のファイル名だけでなく、デジタルカメラのシリアル番号および撮影日時もが一致しているか否かを考慮しているので、重複登録をより正確に判定することができる。
【０１１３】
なお、これに限定されず、３つの条件のうち、いずれか１つまたは２つが一致しているか否かによって重複登録を判定しても良い。たとえば、アルバム登録における元画像のファイル名とデジタルカメラのシリアル番号との２つの条件が、登録対象のファイルと既登録のファイルとの間で全て一致するか否かによって、登録対象のファイルが既登録のものか否かを判定してもよい。元画像のファイル名だけでなく、デジタルカメラのシリアル番号もが一致しているか否かを考慮しているので、重複登録をより正確に判定することができる。たとえば、異なるデジタルカメラで撮影され撮影日時が偶然に一致し且つファイル名も偶然に一致した２つのファイルが、本来は異なる撮影画像であることを正確に判定できる。
【０１１４】
また、一括登録の場合には、新規登録されたアルバムファイルのシリアル番号は登録元の撮影ファイルのシリアル番号の昇順に付与されるので、両者の対応関係において、その順序が入れ替わることがない。したがって、元の撮影ファイルとアルバムファイルとの間の関係を把握しやすい。
【０１１５】
さらに、撮影画像の再生時には、その撮影画像が既にアルバム登録された画像であるか否かを、アルバム情報ファイル又はその撮影画像ファイルのタグ情報ＴＧによって判定し、その撮影画像が既にアルバム登録の対象となっている場合には、登録済みを示すマークを撮影画像に重ねてＬＣＤ５に表示する。
【０１１６】
図１４は、アルバム登録後再び状態ＳＴ２０に戻ったときのＬＣＤ５での表示画面を示す図である。図１４に示すように、この画面においては、撮影画像が表示されるとともに、画面内の右下側にマークＭＫ１が撮影画像に重ねて表示されている。このマークＭＫ１は、登録済みであることを示すものである。操作者は、このマークＭＫ１によって、既にアルバム登録された画像であるか否かを容易に判別することが可能になる。また、状態ＳＴ２０の画面だけでなく、状態ＳＴ２１，ＳＴ２２の画面においても、同様のマークＭＫ１の表示を行う。これにより、いずれの状態でも同様の効果を得ることができる。
【０１１７】
また、ここでは、状態ＳＴ２１から状態ＳＴ２２に移行した後のステップＳＰ５３，ＳＰ６３における判定動作によって重複登録を回避する場合を例示したが、これに限定されない。たとえば、次のような態様とすることも可能である。具体的には、状態ＳＴ２１において、図１５に示すような再生メニュー画面をＬＣＤ５に表示してもよい。図１５においては、「アルバムに追加登録」の選択肢の左側の記号が×印になっており、操作者のキー操作によっても選択できない状態となっている。したがって、登録操作を行う次の状態ＳＴ２２（図１１）に進めないため、重複登録を回避できる。
【０１１８】
＜静止画像ファイル以外のアルバム登録＞
図１６は、デジタルカメラ１における撮影動作及び／又は録音動作によって、メモリカード９０の撮影画像フォルダ内に格納されたファイル群の一例を示す図である。
【０１１９】
このデジタルカメラ１においては、図１６に示すような、静止画像ファイル（例えば「Ｐｉｃｔ００１０．ｊｐｇ」）以外のファイル、具体的には、動画像および音声に関するデータファイルもアルバム登録の対象とすることができる。より詳細には、「ボイスメモ」による音声ファイル（例えば「Ｐｉｃｔ００１１．ｗａｖ」）、「ボイスレコード」による音声ファイル（例えば「Ｐｉｃｔ００１２．ｗａｖ」）、「アフターレコーディング（アフレコとも略称する）」による音声ファイル（例えば「Ｐｉｃｔ００３２．ｗａｖ」）、「動画」に関する動画像ファイル（例えば「Ｐｉｃｔ００１３．ａｖｉ」）のそれぞれもアルバム登録の対象とすることが可能である。
【０１２０】
このような各種のデータファイルのアルバム登録作業の説明に先立って、各データファイルの概要について説明する。
【０１２１】
「ボイスメモ」、「ボイスレコード」、「動画」による各ファイルは、撮影メニュー画面Ｇ１１などを用いた所定の操作によって取得される。
【０１２２】
例えば、撮影モードが「ボイスメモ」に設定された後にシャッタボタン９が押下されると、静止画像の撮影とともに一定時間の音声の録音が行われる。そして、この撮影動作による静止画像ファイル「Ｐｉｃｔ００１１．ｊｐｇ」が、ボイスメモとして録音された音声ファイル「Ｐｉｃｔ００１１．ｗａｖ」とともに取得される。両ファイルは、その拡張子が異なっているが、ファイル番号は同一である。ファイル番号を同一とすることによって、両ファイルが互いに関連付けされていることを容易に判別できる。また、両ファイルを互いに関連付ける情報が、各ファイルのタグ情報ＴＧにも付与される。よって、全体制御部５０は音声ファイルに関連付けられた撮影画像ファイルの有無を判別することができる。
【０１２３】
また、撮影モードが「ボイスレコード」に設定された後に、シャッタボタン９が押下されると音声の録音のみが開始されシャッタボタン９が再度押下されると音声の録音が終了する。この録音動作によって、「ボイスレコード」による音声ファイル（たとえば「Ｐｉｃｔ００１２．ｗａｖ」）のみが生成される。この撮影画像フォルダ内には同一番号のファイルが存在しないため、この音声データには撮影画像が関連付けられていないことを判別できる。
【０１２４】
さらに、撮影モードが「動画ファイル」に設定された後に、シャッタボタン９が押下されると動画の記録動作が開始されシャッタボタン９が再度押下されると動画の記録動作が終了する。この記録動作（撮影動作）によって、動画像ファイル（たとえば「Ｐｉｃｔ００１３．ａｖｉ」）のみが生成される。
【０１２５】
また、「アフターレコーディング」による音声データは、図１７に示すような状態遷移を辿ることによって取得される。具体的には、まず、状態ＳＴ２１（図７も参照）でＬＣＤ５に表示される再生メニュー画面Ｇ２１の選択肢の中から「画像編集」の項目を選択して実行ボタン８ａを押下することによって、状態ＳＴ２６に移行する。そして、状態ＳＴ２６でＬＣＤ５に表示されるメニュー画面（「画像編集」のサブメニュー）Ｇ２６の中から「アフターレコーディング」という項目を選んで実行ボタン８ａを押下すると、状態ＳＴ２７に移行する。状態ＳＴ２７では、マイク１２による録音が実行され、ＬＣＤ５においては、最大録音可能時間に対する録音済み時間の割合がプログレスバーによって表示される。その後、最大録音可能時間が経過した時、あるいは、実行ボタン８ａが再度押下された時に、アフレコが終了する。そして、音声ファイルが生成されるとともに、その音声ファイルの静止画像ファイルに対する関連付けが行われる。
【０１２６】
たとえば、図７に示すように、静止画像ファイル「Ｐｉｃｔ００３１．ｊｐｇ」の撮影の後に、静止画像ファイル「Ｐｉｃｔ００２１．ｊｐｇ」に対してアフレコ操作を行ったとき（すなわち、静止画像ファイル「Ｐｉｃｔ００２１．ｊｐｇ」に基づく画像を背景に表示させつつ上記アフレコ操作を行ったとき）には、音声ファイル「Ｐｉｃｔ００３２．ｗａｖ」が静止画像ファイル「Ｐｉｃｔ００２１．ｊｐｇ」に関連付けられた状態で生成される。この関連付け情報は、静止画像ファイル「Ｐｉｃｔ００２１．ｊｐｇ」のタグ情報ＴＧ内にデジタルカメラ１によって記録される。具体的には、タグ情報ＴＧ内に関連ファイルの名称として「Ｐｉｃｔ００３２．ｗａｖ」が記述されることによって、両ファイルの関連付けが行われる。また、音声ファイル「Ｐｉｃｔ００３２．ｗａｖ」のタグ情報ＴＧにも静止画像ファイル「Ｐｉｃｔ００２１．ｊｐｇ」を記述し、音声ファイルから静止画像ファイルを参照できるようにしてもよい。つまり、アフレコの場合、アフレコの録音動作が終了した時点では、撮影画像フォルダに静止画像ファイル「Ｐｉｃｔ００２１．ｊｐｇ」とは異なるファイル番号の音声ファイル「Ｐｉｃｔ００３２．ｗａｖ」が記録され、各ファイルのタグ情報ＴＧによって互いの関連付けが行われる。
【０１２７】
なお、アフレコによる音声ファイルとボイスメモによる音声ファイルとは次の点で相違する。すなわち、前者が撮影画像の再生時点で生成されるのに対して、後者が画像の撮影時点で生成される点で相違する。
【０１２８】
また、再生モードの表示画面（より詳細には状態ＳＴ２０，ＳＴ２１，ＳＴ２２（図１１参照）などでの表示画面）においては、各種のファイルは図１８に示すような状態で、再生画像、あるいはメニュー画面における背景画像として表示される。図１８は、各ファイルの再生時の画面を示す図である。
【０１２９】
具体的には、音声ファイルと関連付けられていない静止画像ファイルは、音声との関連付けを示すマークが付与されることなくＬＣＤ５においてそのまま表示される。
【０１３０】
また、音声ファイルと関連付けられている静止画像ファイル（たとえば、「アフレコ」が施された静止画像ファイル、あるいは「ボイスメモ」のモードで撮影された静止画像ファイル）は、関連付けられた音声データが存在することを想起させるマークＭＫ２がその静止画像の一部に付与された状態（具体的には、静止画像にオーバーレイされた状態）でＬＣＤ５に表示される。これにより、音声に関連付けられた画像であることが明示される。言い換えれば、再生表示対象となるファイルが音声データである場合には、当該音声データに関連付けられた画像データの有無が識別可能な状態に表示されるようになっている。そして実行ボタン８ａが押下されることにより、該静止画像ファイルに関連付けられた音声がスピーカ１３より再生出力される。
【０１３１】
さらに、他の画像ファイルに関連付けられていない音声ファイル（たとえば、「ボイスレコーディング」のモードで録音された音声ファイル）については、画像を伴うことなく、画像に関連付けられていない音声データであることを明示するマークＭＫ３がＬＣＤ５に全画面表示される。つまり、マークＭＫ３は音声データのみであることを示す表示であり、マークＭＫ３がＬＣＤ５の全画面に大きく表示されることになる。この状態で実行ボタン８ａが押下されることにより、該音声ファイルとして録音された音声がスピーカ１３より再生出力される。
【０１３２】
また、動画ファイルについては、再生モード移行時に、動画を構成するフレームの一部、例えば先頭フレームが静止画的に表示される。そしてこの状態で実行ボタン８ａが押下されることにより、先頭フレームから順次フレーム更新が行われ、動画的態様の再生表示が行われる。
【０１３３】
以上がデータファイルの概要である。
【０１３４】
つぎに、各種のデータファイルのアルバム登録作業について説明する。全体の流れは、図１２を参照して上述した通りである。再生モードの状態ＳＴ２２において、撮影画像フォルダ内の少なくとも１つの種類の少なくとも１つのファイルがアルバム登録の対象ファイルとして指定されると、上述したような流れでアルバム登録動作が実行される。
【０１３５】
ただし、上記においては、図１３を参照しつつ、登録処理の対象ファイルが静止画像ファイルであることを前提に説明を行ったが、ここでは、より一般的なアルバムファイル作成処理（ステップＳＰ５４，ＳＰ６４）について、図１９及び図２０を参照しつつ説明する。図１９及び図２０のアルバムファイル作成処理は、静止画像以外のファイル、具体的には図１８に示すような複数の種類のファイルのそれぞれに対しても適用可能である。
【０１３６】
まず、ステップＳＰ８１においては、アルバム登録対象のファイルが動画ファイルであるか否かが判定される。登録対象ファイルが動画ファイルである場合にはステップＳＰ１０１に進み、登録対象ファイルが動画ファイルでない場合（詳細には、登録対象ファイルが静止画像ファイルまたは音声ファイルの場合）にはステップＳＰ８２に進む。
【０１３７】
ステップＳＰ８２に進むと、さらに登録対象が音声のみのファイルであるか否かが判定される。登録対象が音声のみのファイルである場合（すなわち、「ボイスレコーディング」による音声ファイルの場合）にはステップＳＰ９６に進み、登録対象が音声のみのファイルでない場合（すなわち、音声データと静止画像データとが互いに関連付けられたデータである場合）にはステップＳＰ８３に進む。
【０１３８】
登録対象の撮影画像ファイルが単なる静止画像ファイルの場合（すなわち、静止画像データに音声データが関連付けられていない場合）には、ステップＳＰ８３，ＳＰ８４，ＳＰ８５を経た後、その撮影画像に関連付けられた音声が存在しないとステップＳＰ８６で判定されて、さらにステップＳＰ８７，ＳＰ８８を経てステップＳＰ８９に進む。
【０１３９】
ここで、ステップＳＰ８３，ＳＰ８４，ＳＰ８５，ＳＰ８７，ＳＰ８８の各処理は、それぞれ、上述のステップＳＰ７１，ＳＰ７２，ＳＰ７３，ＳＰ７４，ＳＰ７５（図１３参照）の各処理と同様である。また、ステップＳＰ８９では、アルバム情報ファイル（「Ａｌｂｕｍ．ｉｎｆ」）が更新される。
【０１４０】
一方、登録対象の撮影画像ファイルが、関連する音声ファイルを有する場合には、ステップＳＰ８３，ＳＰ８４，ＳＰ８５を経た後、その撮影画像に関連付けられた音声が存在するとステップＳＰ８６で判定され、さらにステップＳＰ９１，ＳＰ９２，ＳＰ９３，ＳＰ９４，ＳＰ９５を経て、互いに関連付けられた撮影画像ファイルおよび音声ファイルの双方をアルバム登録した後に、ステップＳＰ８９に進む。すなわち、互いに関連付けられたファイルが存在する場合、その関連付けを維持ままで、一方のアルバム登録に連動して他方もアルバム登録されるようになっている。そしてステップＳＰ８９では、アルバム情報ファイル（「Ａｌｂｕｍ．ｉｎｆ」）が更新される。
【０１４１】
たとえば、「アフレコ」作業を行った静止画像ファイル「Ｐｉｃｔ００２１．ｊｐｇ」をアルバム登録する場合について説明する。なお、この静止画像ファイル「Ｐｉｃｔ００２１．ｊｐｇ」には、「アフレコ」作業によって音声ファイル「Ｐｉｃｔ００３２．ｗａｖ」が関連付けられている（図１６参照）。また、図２１はステップＳＰ８９における更新後のアルバム情報ファイルの内容を示す図である。
【０１４２】
この場合、まずステップＳＰ９１において、新規アルバム音声ファイルのファイル名が決定される。より詳細には、新規アルバム音声ファイルに対して、ステップＳＰ８５で決定された新規アルバム画像ファイルの名称と同一の名称（ただし拡張子部分を除く）が付与されることが決定される。たとえば、静止画像ファイル「Ｐｉｃｔ００２１．ｊｐｇ」のアルバム登録ファイルに対して「Ａｌｂｍ０１０１．ｊｐｇ」という名称が付与される場合には、音声ファイル「Ｐｉｃｔ００３２．ｗａｖ」のアルバム登録ファイルに対して「Ａｌｂｍ０１０１．ｗａｖ」という名称が付与される。このように、新規アルバム画像ファイルと新規アルバム音声ファイルとは、先頭の８文字（最初の「Ａｌｂｍ」の４文字およびそれに続くシリアル番号を示す４文字）は同一である。また、互いに関連して登録されるアルバム音声ファイルと、アルバム画像ファイルとのファイル番号を同一番号にするのではなく、互いに連続した番号を付するようにしてもよい。このように、アルバムフォルダに登録する際に、互いに関連するファイルのファイル番号を同一番号若しくは連続番号として格納することにより、互いの関連性が識別しやすくなる。
【０１４３】
次のステップＳＰ９２においては、新規アルバム画像ファイルのタグ情報として、当該新規アルバム画像ファイルに関連する新規アルバム音声ファイル名を記録する。たとえば、新規アルバム画像ファイル「Ａｌｂｍ０１０１．ｊｐｇ」のタグ情報に、新規アルバム音声ファイル「Ａｌｂｍ０１０１．ｗａｖ」に対する関連付け情報が記述される。この関連付け情報によっても、両ファイルの関連性を認識できる。
【０１４４】
そして、ステップＳＰ９３においては、実際にアルバム画像ファイルがアルバムフォルダ内に新規に作成され、その新規のアルバム画像ファイルに読み取り専用の属性が付与される。また、ステップＳＰ９４では、実際にアルバム音声ファイルをアルバムフォルダ内に新規に作成する。新規のアルバム音声ファイルは、ファイル「Ｐｉｃｔ００３２．ｗａｖ」をコピー（複製）して作成され、そのファイル名称として、ステップＳＰ９１で決定された名称が付与される。そして、ステップＳＰ９５においては、アルバム音声ファイルに対しても読み取り専用属性が付与される。
【０１４５】
また、登録対象のファイルが、「ボイスレコーディング」により得られた音声データである場合には、ステップＳＰ８２からステップＳＰ９６に進み、ステップＳＰ９４，ＳＰ９５を経て「ボイスレコーディング」による音声ファイルが単独でアルバム登録される。また、アルバム登録における登録内容は、アルバム情報ファイル（「Ａｌｂｕｍ．ｉｎｆ」）に記述される（ステップＳＰ８９）。
【０１４６】
具体的には、ステップＳＰ９６においては、新規アルバム音声ファイルの名称が決定される。具体的には、アルバムファイルであることを示す４文字「Ａｌｂｍ」の後に、４文字のシリアル番号を付加することによって決定される。シリアル番号は、アルバム情報ファイルに記載されたアルバムファイルの最後尾のシリアル番号に１を足した値として決定される。また、ファイルの拡張子としては、音声ファイルであることを示す「ｗａｖ」が付与される。その後、ステップＳＰ９６で決定された名称新規のアルバム音声ファイルがアルバムフォルダ内に実際に作成され（ステップＳＰ９４）、そのアルバム音声ファイルに対して読み取り専用属性が付与される（ステップＳＰ９５）。その後、ステップＳＰ８９で、アルバム情報ファイル（「Ａｌｂｕｍ．ｉｎｆ」）が例えば図２２のように更新される。図２２は、音声ファイル「Ｐｉｃｔ００１２．ｗａｖ」が、アルバム音声ファイル「Ａｌｂｍ０１０１．ｗａｖ」としてアルバムフォルダ内に作成されたときのアルバム情報ファイルの一部を示している。
【０１４７】
また、登録対象のファイルが動画像である場合には、ステップＳＰ８１からステップＳＰ１０１に進む。ステップＳＰ１０１では、アルバム登録ファイルとして、動画像の一部として先頭フレームのみをアルバム登録する旨と、動画像の全フレームをアルバム登録する旨とのうちのいずれの選択肢が選択されているかが判定される。
【０１４８】
デジタルカメラ１においては、このような設定に関する選択操作を、図２３に示すような画面を用いてあらかじめ行っておくことが可能である。この画面は、状態ＳＴ１１，ＳＴ２１，ＳＴ３１で項目「カメラのセットアップ」を選択して表示されるメニュー画面において、さらに「動画ファイルのアルバム登録」という項目を選択することによってＬＣＤ５に表示される。そして、この画面内の「先頭フレームのみ」および「全フレーム」のうちの所望の選択肢を上下方向のキー７ａ，７ｂおよび実行ボタン８ａを用いて選択することによって、所望の設定状態とすることができる。
【０１４９】
ステップＳＰ１０１において、動画像の先頭フレームのみをアルバム登録する旨が設定されていると判定される場合には、動画像の先頭フレームのみを切り出して（ステップＳＰ１０２）、さらにステップＳＰ８４に進む。その後、ステップＳＰ８５，ＳＰ８６，ＳＰ８７，ＳＰ８８を経由して、動画像の先頭フレームである静止画像が、アルバムフォルダ内にアルバムファイルとして登録される。動画像の場合、一部のフレームのみをアルバム登録することにより、メモリカード９０に格納されるファイル容量を低減することができる。そしてその後、ステップＳＰ８９で、アルバム情報ファイル（「Ａｌｂｕｍ．ｉｎｆ」）が例えば図２４のように更新される。図２４は、動画像ファイル「Ｐｉｃｔ００１３．ａｖｉ」の先頭フレームの静止画像が、アルバム画像ファイル「Ａｌｂｍ０１０１．ｊｐｇ」としてアルバムフォルダ内に作成されたときのアルバム情報ファイルの一部を示す図である。
【０１５０】
一方、ステップＳＰ１０１において、動画像の全フレームをアルバム登録する旨が設定されていると判定される場合には、動画像ファイル自体をアルバム登録する。
【０１５１】
具体的には、デジタルカメラ１は、新規アルバムファイルのファイル名を決定する（ステップＳＰ１０３）。詳細には、アルバム情報ファイルを参照して、既存のアルバムファイルのシリアル番号のうち最も大きな番号を１つインクリメントした値をシリアル番号とするファイル名を決定する。そして、登録対象の動画像ファイルをアルバムフォルダ内にコピーしてアルバム動画ファイルを作成する（ステップＳＰ１０４）。新規のアルバム動画ファイルには、ステップＳＰ１０３で決定された名称が付与される。そして、そのアルバム動画ファイルのファイル属性が読み取り専用に設定される（ステップＳＰ１０５）。その後、ステップＳＰ８９で、アルバム情報ファイル（「Ａｌｂｕｍ．ｉｎｆ」）が例えば図２５のように更新される。なお、図２５には、動画像ファイル「Ｐｉｃｔ００１３．ａｖｉ」自体が、アルバム動画ファイル「Ａｌｂｍ０１０１．ａｖｉ」としてアルバムフォルダ内に作成されたときのアルバム情報ファイルの一部を示している。
【０１５２】
以上のような動作によって各ファイルがアルバム登録された後、アルバム再生モードに移行すると、図１８に示した再生モード時と同様の形態でＬＣＤ５に画面表示が行われる。
【０１５３】
たとえば、アルバム再生対象となるアルバムファイルが音声データと静止画像データとが互いに関連付けられたファイルである場合、ＬＣＤ５にその画像が表示されるとともに、関連付けられた音声データが存在することを示すマークＭＫ２が表示される（図１８参照）。言い換えれば、再生表示対象となるファイルが音声データである場合には、当該音声データに関連付けられた画像データの有無が識別可能な状態に表示される。また、アルバム再生対象となるアルバムファイルが音声データのみである場合には、音声データのみであることを示すマークＭＫ３がＬＣＤ５に表示される（図１８参照）。
【０１５４】
したがって、操作者は、アルバム再生対象となっているファイルが音声のみであるのか、画像が関連付けられた音声であるのかを容易に判別することができ、操作の際に混乱が生じることを防止できる。
【０１５５】
以上のように、デジタルカメラ１は、撮影によって得られる撮影画像や録音によって得られる音声を、撮影動作又は録音動作に伴って撮影画像フォルダに格納するように構成される。そして、操作者が気に入った撮影画像等を保存しておくために所定の操作を行った場合には、撮影画像フォルダに格納された撮影ファイルからアルバムファイルが生成され、当該アルバムファイルが撮影画像フォルダとは異なる領域のアルバムフォルダに格納されるようになっている。
【０１５６】
また、撮影画像ファイルと音声ファイルとが互いに関連付けられている場合には、少なくとも一方のアルバム登録に連動して、他方のファイルも同時にアルバムフォルダへアルバム登録されるようになっている。そのため、関連性の高いデータの一方について登録操作を行うだけで、双方のデータが登録され、デジタルカメラ１の操作性が高くなる。また、互いに関連付けられたデータが簡単に削除されることを防止できる。
【０１５７】
そして、アルバムフォルダへの登録時においてアルバムファイルのファイル属性が読み取り専用に設定されるので、各アルバムファイルにはプロテクトがかけられることとなり、誤操作等によるデータ改変や削除が防止される。なお、アルバムファイルに設定されたプロテクトは、後述するように解除することが可能である。
【０１５８】
そしてアルバムファイルにプロテクトがかけられている場合、アルバム再生モード時には、当該ファイルに対し、データの削除及び改変が禁止された状態（プロテクトされた状態）にあることを明示するように画面表示が行われる。例えば、図２６に示すように、アルバム再生モード時の状態ＳＴ３０において、アルバム画像等が表示されるとともに、画面内の右上側にマークＭＫ４がアルバム画像等に重ねて表示される。このマークＭＫ４は、再生対象となっているアルバムファイルがプロテクトされた状態であることを示すものである。操作者は、このマークＭＫ４の表示によって、ＬＣＤ５に表示されている画像等のアルバムファイルが削除等を禁止された状態であることを容易に判別することが可能である。また、状態ＳＴ３０の画面だけでなく、状態ＳＴ３１等の画面においても同様に、マークＭＫ４の表示を行う。これにより、いずれの状態でも同様の効果を得ることができる。
【０１５９】
＜撮影画像フォルダに格納されたデータのプロテクト＞
つぎに、撮影画像フォルダに格納された撮影ファイルのプロテクトについて説明する。
【０１６０】
上述のように、撮影又は録音によって得られる画像データ若しくは音声データは、撮影又は録音に伴い、アーカイブ属性が与えられた撮影ファイルとして撮影画像フォルダに格納される。言い換えれば、撮影又は録音によって得られる撮影ファイルは、データ改変や削除が許可された状態で撮影画像フォルダに格納される。そのため誤操作等によって撮影ファイルが簡単に削除されてしまう可能性がある。
【０１６１】
それを防止するため、デジタルカメラ１は、操作者によるプロテクト設定操作に基づいて、撮影画像フォルダに格納された撮影ファイルに対してもプロテクトをかけることができるようになっている。
【０１６２】
図２７はデジタルカメラ１における状態遷移図であり、撮影ファイルに対してプロテクトをかける場合の状態遷移を、ＬＣＤ５における表示状態の変化を中心に示した図である。図２７に示すように、再生モードにおいて撮影画像等がＬＣＤ５に表示されている状態ＳＴ２０において、操作者がメニューボタン８ｂを押下すると、再生メニュー画面が表示され、状態ＳＴ２１に移行する。このとき操作者が、ＬＣＤ５に表示される再生メニューの選択肢の中から「プロテクト」の項目を選択して実行ボタン８ａを押下することによって、状態ＳＴ２３に移行する。
【０１６３】
状態ＳＴ２３に示すプロテクト操作画面では、選択項目として「この画像」，「一括」，「この画像のプロテクト解除」および「一括プロテクト解除」の４項目が表示される。「この画像」は、再生対象となっている画像等であって、その時点で画面背景に表示されている画像等に対してプロテクト設定を行うための選択項目である。また「一括」は、撮影画像フォルダに格納されている全ての撮影ファイルに対して一括的にプロテクト設定を行うための選択項目である。また「この画像のプロテクト解除」は、再生対象となっている画像等であって、その時点で画面背景に表示されている画像等に対して設定されているプロテクト設定を解除するための選択項目である。さらに「一括プロテクト解除」は、撮影画像フォルダに格納されている全ての撮影ファイルに対して一括的にプロテクト解除を行うための選択項目である。
【０１６４】
上記の選択項目のうち、操作者が一の選択項目を選択して実行ボタン８ａを押下することにより、指定された撮影ファイルのファイル属性ＡＴが変更され、状態ＳＴ２１に戻る。例えば、プロテクトの設定操作が選択された場合には、選択された撮影ファイルのファイル属性が、「アーカイブ属性」から「読み取り専用属性」に変更される。そして撮影画像ファイルに対してプロテクト設定が行われると、再生対象となっている画像等がプロテクトされた状態であることを明示するために、画面上の一部にマークＭＫ５が表示される（図２７参照）。このマークＭＫ５の表示により、操作者は、ＬＣＤ５に表示されている画像等の撮影ファイルが削除等を禁止された状態であることを容易に判別することが可能である。
【０１６５】
＜アルバム登録されたデータの削除＞
つぎに、アルバムフォルダに登録されたアルバムファイルを削除する場合について説明する。
【０１６６】
既述のように、撮影又は録音によって撮影画像フォルダに格納されたファイルが、アルバム登録操作によってアルバムフォルダに登録されると、その時点でアルバムファイルにプロテクトがかけられており、そのままではアルバムフォルダに格納されたアルバムファイルを削除することができない状態になっている。
【０１６７】
そのためアルバムファイルを削除する場合には、まずアルバムファイルに設定されたプロテクトを解除する処理が必要になる。プロテクトの解除は、操作者がプロテクトの解除操作を行うことによって実行される。
【０１６８】
図２８は、デジタルカメラ１における状態遷移図であり、アルバムファイルに対してプロテクトの設定状態を変更する場合の状態遷移を、ＬＣＤ５における表示状態の変化を中心に示した図である。図２８に示すように、アルバム再生モードにおいてアルバム画像等がＬＣＤ５に表示されている状態ＳＴ３０において、操作者がメニューボタン８ｂを押下すると、アルバム再生メニュー画面が表示され、状態ＳＴ３１に移行する。
【０１６９】
状態ＳＴ３１では、アルバムファイルのプロテクト設定が解除されていない場合、アルバム再生メニュー画面における「削除」の項目が選択不可能な状態で表示され（図２８では×マークが付与）、再生対象となっているアルバムファイルの削除が選択されることを禁止している。このとき操作者が、ＬＣＤ５に表示される再生メニューの選択肢の中から「プロテクト」の項目を選択して実行ボタン８ａを押下することによって、状態ＳＴ３３に移行する。
【０１７０】
状態ＳＴ３３に示すプロテクト操作画面では、選択項目として撮影ファイルに対する項目（図２７の状態ＳＴ２３参照）と同様の項目が表示される。すなわち、「この画像」，「一括」，「この画像のプロテクト解除」および「一括プロテクト解除」の４項目が表示される。各項目は撮影ファイルに対してプロテクト設定を行う場合と同様の選択項目である。したがって、操作者は、ＬＣＤ５に背景画像等として表示される１つのアルバムファイルのプロテクトを解除したい場合には「この画像のプロテクト解除」を選択し、アルバムフォルダに格納された全てのアルバムファイルのプロテクトを一括的に解除したい場合には「一括プロテクト解除」を選択する。そして実行ボタン８ａを押下することにより、選択されたアルバムファイルのファイル属性ＡＴが、「読み取り専用属性」から「アーカイブ属性」に変更される。また、このときアルバムフォルダに格納されるアルバム情報ファイル（「Ａｌｂｕｍ．ｉｎｆ」）が書き換えられる。
【０１７１】
図２９はアルバム情報ファイルの書き換えの例を示す図である。アルバムフォルダに格納されたアルバムファイル（Ａｌｂｍ０００３．ｊｐｇ）のプロテクト解除に伴い、アルバムファイル（Ａｌｂｍ０００３．ｊｐｇ）のファイル属性ＡＴがアーカイブ属性に変更されるとともに、図２９に示すように、アルバム情報ファイル（「Ａｌｂｕｍ．ｉｎｆ」）に示されるファイル属性も、「読み取り専用属性（ＲｅａｄＯｎｌｙ）」から「アーカイブ属性（Ａｒｃｈｉｖｅ）」に変更される。
【０１７２】
そしてファイル属性を変更した後、状態ＳＴ３１に戻ると共にアルバム再生メニューの選択肢の中の「削除」の項目が選択可能な状態で表示される。このとき、ＬＣＤ５の画面一部に表示されていたマークＭＫ４は非表示に切り換えられ、表示対象となっているアルバムファイルに設定されていたプロテクトが解除されたことを視覚的に把握できるようになっている。
【０１７３】
以上の動作でアルバムファイルのプロテクト設定が解除され、プロテクトが解除されたアルバムファイルは削除可能な状態になる。なお、一旦プロテクトが解除されたアルバムファイルに対して再度プロテクト設定を行う場合には、上述した撮影ファイルに対するプロテクト設定操作と同様の操作を行えばよい。
【０１７４】
図３０は、デジタルカメラ１における状態遷移図であり、プロテクトが解除されたアルバムファイルを削除する場合の状態遷移を、ＬＣＤ５における表示状態の変化を中心に示した図である。
【０１７５】
図３０に示すように、アルバム再生モードにおいてアルバム画像等がＬＣＤ５に表示されている状態ＳＴ３０において、操作者がメニューボタン８ｂを押下すると、アルバム再生メニュー画面が表示され、状態ＳＴ３１に移行する。状態ＳＴ３１では、アルバムファイルのプロテクト設定が解除されている場合、アルバム再生メニュー画面における「削除」の項目が選択可能な状態で表示される。このとき操作者が、ＬＣＤ５に表示される再生メニューの選択肢の中から「削除」の項目を選択して実行ボタン８ａを押下することによって、状態ＳＴ３４に移行する。
【０１７６】
状態ＳＴ３４では、「アルバム画像の削除」という画面タイトルが付された削除操作画面が表示される。これにより、削除対象がアルバムフォルダに格納されたアルバム画像等であることが把握できる。また、この削除操作画面では、選択項目として「この画像」および「一括」の２項目が表示される。「この画像」は、再生対象となっている画像等であって、その時点で画面背景に表示されている画像等をアルバムフォルダから削除するための選択項目である。また「一括」は、アルバムフォルダに格納されている全てのアルバムファイルを一括的に削除するための選択項目である。
【０１７７】
上記の選択項目のうち、操作者が一の選択項目を選択して実行ボタン８ａを押下することにより、指定されたアルバムファイルが削除対象として決定される。そして状態ＳＴ３４ａに移行する。
【０１７８】
状態ＳＴ３４ａでは、操作者がアルバムファイルを削除しようとしていることを示す警告表示がＬＣＤ５に表示される。この警告表示が行われているときに、操作者がメニューボタン８ｂを押下すれば、選択されたアルバムファイルは削除されることなく、状態ＳＴ３１に戻る。これに対し、警告表示が行われているときに、操作者が実行ボタン８ａを押下すれば、状態ＳＴ３５に移行し、選択されたアルバムファイルの削除処理が実行される。状態ＳＴ３４ａの警告表示は、誤操作等によるアルバムファイルの削除を防止するために行われるものであり、この警告表示において操作者にさらなる入力操作を促すことにより、アルバムファイルが誤って削除されてしまうことを防止している。
【０１７９】
状態ＳＴ３５では、ＬＣＤ５にアルバムファイルを削除中である旨の表示が行われ、指定されたアルバムファイルがアルバムフォルダから削除される。このとき、全体制御部５０は、アルバム情報ファイルを参照することにより、削除対象となったアルバムファイルの登録元の撮影ファイルを特定し、撮影画像フォルダに登録元となった撮影ファイルが存在するか否かを判定する。そして登録元となった撮影ファイルが存在する場合には、登録元の撮影ファイルのタグ情報ＴＧの書き換えが行われる（状態ＳＴ３５ａ）。具体的には、タグ情報ＴＧの「アルバム登録の有無」に関する情報が「有」から「無」に書き換えられる。そしてアルバム情報ファイル（「Ａｌｂｕｍ．ｉｎｆ」）から削除対象となったアルバムファイルに関する情報が削除され（状態ＳＴ３５ｂ）、状態３１に戻る。
【０１８０】
以上の動作で、登録動作に伴ってアルバムフォルダに格納されたアルバムファイルの削除が完了する。
【０１８１】
つぎに、撮影画像フォルダに格納された撮影ファイルを削除する場合について説明する。撮影画像フォルダに格納される撮影ファイルには、原則的にアーカイブ属性が付与される。操作者によって撮影ファイルにプロテクト設定が行われている場合には、削除操作に先立ってアルバムファイルの場合と同様に、プロテクトを解除する操作が行われる。そしてプロテクトが解除された後、削除可能な状態になる。
【０１８２】
図３１は、デジタルカメラ１における状態遷移図であり、プロテクト設定が行われていない撮影ファイルを削除する場合の状態遷移を、ＬＣＤ５における表示状態の変化を中心に示した図である。図３１に示すように、再生モードにおいて撮影画像等がＬＣＤ５に表示されている状態ＳＴ２０において、操作者がメニューボタン８ｂを押下すると、再生メニュー画面が表示され、状態ＳＴ２１に移行する。状態ＳＴ２１では、撮影ファイルにプロテクト設定が行われていない場合、再生メニュー画面における「削除」の項目が選択可能な状態で表示される。このとき操作者が、ＬＣＤ５に表示される再生メニューの選択肢の中から「削除」の項目を選択して実行ボタン８ａを押下することによって、状態ＳＴ２４に移行する。
【０１８３】
状態ＳＴ２４では「撮影画像の削除」という画面タイトルが付された削除操作画面が表示される。これにより、削除対象が撮影画像フォルダに格納された撮影画像等であることが把握できる。また、この削除操作画面では、選択項目として「この画像」および「一括」の２項目が表示される。これらの項目は、アルバムファイルを削除する場合の項目と同様である（図３０の状態ＳＴ３４参照）。これら選択項目のうち、操作者が一の選択項目を選択して実行ボタン８ａを押下することにより、指定された撮影ファイルが削除対象として決定される。そして状態ＳＴ２５に移行し、ＬＣＤ５に撮影ファイルを削除中である旨の表示が行われ、指定された撮影ファイルが撮影画像フォルダから削除される。そして削除処理が完了すると、状態２１に戻る。
【０１８４】
以上の動作で、撮影動作や録音動作に伴って撮影画像フォルダに格納された撮影ファイルの削除が完了する。
【０１８５】
上記のようにデジタルカメラ１は、メモリカード９０に格納されたファイルを削除する際、削除対象となるファイルが、撮影ファイルおよびアルバムファイルのいずれであるかを明確に区別できるようにタイトルを付した画面表示を行うので、アルバムファイルが誤って削除される可能性を低減することができるようになっている。
【０１８６】
特に、アルバムファイルに対して削除指示が与えられた場合には、撮影ファイルの場合には表示されない警告表示（例えば、図３０の状態ＳＴ３４ａ）を行うので、警告表示の段階で削除対象がアルバムファイルであることを認識しやすくなっており、操作者の誤操作等によってアルバムファイルが削除されることを防止できる。すなわち、削除対象ファイルが撮影ファイルである場合とアルバムファイルである場合とで同一の画面表示形態を採用すると、操作者は撮影ファイルを削除しようとして誤ってアルバムファイルを削除する可能性があるのに対し、上記のようにアルバムファイルを削除する場合には撮影ファイルを削除する場合と異なる表示を行うように構成することで、アルバムファイルが不意に削除されてしまうことを防止できる。
【０１８７】
また、アルバムファイルは、登録時にプロテクトがかけられた状態となっており、アルバムファイルを削除又は変更する際には、まずプロテクトを解除する操作が必要になっていることからも、アルバムファイルが不意に削除されたり、変更されることを防止できるようになっている。
【０１８８】
なお、アルバムファイルの削除処理が実行されると、アルバムフォルダから選択されたアルバムファイルが削除されることになるが、アルバムフォルダから削除されたアルバムファイルを他のフォルダ（例えば、ゴミ箱フォルダのような特定フォルダ）に移動させるようにしてもよい。削除されたファイルを他の特定フォルダに保存しておくことにより、誤操作等によって削除されたファイルを復活させることができるので、ファイル保護の点で有益である。また、撮影ファイルを削除した際にも特定フォルダにファイルを移動させるようにしてもよい。
【０１８９】
＜その他＞
以上、本発明の実施の形態について説明したが、本発明は上述した内容のものに限定されるものではなく、種々の変形例が適用可能であることは勿論である。
【０１９０】
なお、上述した内容には以下の発明概念が含まれる。
【０１９１】
（１）  請求項２に記載のデジタルカメラにおいて、前記表示手段は、表示対象となるアルバムファイルが音声データを含む場合において当該音声データに関連付けられた画像データが存在する場合、当該画像データに基づく画像を背景画像として表示し、音声に関する表示を前記背景画像にオーバーレイ表示させることを特徴とするデジタルカメラ。
【０１９２】
これにより、音声データと画像データとが関連付けられていることを容易に把握することができる。
【０１９３】
【発明の効果】
以上説明したように、請求項１に記載の発明によれば、音声データを含むデータファイルに基づいてアルバムファイルを生成し、第１の記録領域とは異なる第２の記録領域に当該アルバムファイルを格納することができるので、音声データを撮影画像等とは別個に保存しておくことができる。そのため、例えば撮影画像だけでなく、音声情報もお気に入りのファイルとして登録することができ、登録可能なコンテンツの種類が増加し、デジタルカメラ使用時の自由度が増す。
【０１９４】
請求項２に記載の発明によれば、表示対象となるアルバムファイルが音声データである場合、当該音声データに関連付けられた画像データの有無を識別可能な状態に表示するので、例えばアルバム再生対象となっているファイルが音声のみであるのか、画像が関連付けられた音声であるのかを容易に判別することができ、操作の際に混乱が生じることを防止できる。
【０１９５】
請求項３に記載の発明によれば、表示対象となるアルバムファイルが音声データである場合であって、当該音声データに関連付けられた画像データが存在しない場合には、音声データのみであることを示す表示が行われるので、例えば例えばアルバム再生対象となっているファイルが音声のみであることを容易に把握することができる。
【０１９６】
請求項４に記載の発明によれば、アルバムファイルを生成して第２の記録領域に格納する際に、互いに関連するファイルのファイル番号を同一番号若しくは連続番号として格納することができるので、音声データと特定の画像データとの関連性が把握しやすく、デジタルカメラの操作性が向上する。
【０１９７】
請求項５に記載の発明によれば、第２の記録領域への格納対象となるデータファイルが動画に関する画像データである場合、当該動画を構成する複数フレームの一部のフレームのみに基づいてアルバムファイルを生成し、第２の記録領域に格納するように構成されるので、記録媒体に格納されるアルバムファイルのファイル容量を低減することができる。例えば、アルバムファイルは、デジタルカメラに常時保存しておきたいファイルであるので、そのファイル容量を低減することにより、第２の記録領域に格納することのできるファイル数を多くすることが可能になり、デジタルカメラの利便性が向上する。
【図面の簡単な説明】
【図１】デジタルカメラを正面側からみた概略斜視図である。
【図２】デジタルカメラを背面側からみた概略斜視図である。
【図３】デジタルカメラの内部構成を示す図である。
【図４】メモリカード内のフォルダ構成を示す図である。
【図５】各画像ファイルの構成を概念的に示す図である。
【図６】アルバム情報ファイルの内容を示す図である。
【図７】デジタルカメラにおける状態遷移図である。
【図８】撮影メニュー画面を示す図である。
【図９】再生メニュー画面を示す図である。
【図１０】アルバム再生メニュー画面を示す図である。
【図１１】再生モードにおける状態遷移を示す図である。
【図１２】アルバム登録動作の全体の流れを示すフローチャートである。
【図１３】図１２の一部の流れを示すフローチャートである。
【図１４】アルバム登録済みマークが付された再生画像を示す図である。
【図１５】変形例に係る再生メニュー画面を示す図である。
【図１６】メモリカード内の撮影画像フォルダ内に格納されたファイル群の一例を示す図である。
【図１７】「アフターレコーディング」動作における状態遷移を示す図である。
【図１８】各種ファイルの再生時の画面を示す図である。
【図１９】アルバム作成処理を示すフローチャートである。
【図２０】アルバム作成処理を示すフローチャートである。
【図２１】アフレコファイルをアルバム登録した後のアルバム情報ファイルの内容を示す図である。
【図２２】ボイスレコーディングファイルをアルバム登録した後のアルバム情報ファイルの内容を示す図である。
【図２３】動画像ファイルのアルバム登録に関する設定を行うためのメニュー画面を示す図である。
【図２４】動画像ファイルの先頭フレームをアルバム登録した後のアルバム情報ファイルの内容を示す図である。
【図２５】動画像ファイル全体をアルバム登録した後のアルバム情報ファイルの内容を示す図である。
【図２６】アルバム再生モードにおいて再生対象となっているアルバム画像等がプロテクトされている状態の表示画面を示す図である。
【図２７】撮影ファイルに対してプロテクトをかける場合の状態遷移を示す図である。
【図２８】アルバムファイルに対してプロテクトの設定状態を変更する場合の状態遷移を示す図である。
【図２９】プロテクト解除時におけるアルバム情報ファイルの書き換えの例を示す図である。
【図３０】プロテクトが解除されたアルバムファイルを削除する場合の状態遷移を示す図である。
【図３１】プロテクト設定が行われていない撮影ファイルを削除する場合の状態遷移を示す図である。
【符号の説明】
１  デジタルカメラ
５  ＬＣＤ（表示手段）
１２  マイク（音声取得手段）
２０  ＣＣＤ（撮像手段）
３０  操作部
５０  全体制御部（撮影ファイル記録手段、アルバムファイル記録手段）
９０  メモリカード（記録媒体）
【図１】
2004274469.tif 000003
【図２】
2004274469.tif 000004
【図３】
2004274469.tif 000005
【図４】
2004274469.tif 000006
【図５】
2004274469.tif 000007
【図６】
2004274469.tif 000008
【図７】
2004274469.tif 000009
【図８】
2004274469.tif 000010
【図９】
2004274469.tif 000011
【図１０】
2004274469.tif 000012
【図１１】
2004274469.tif 000013
【図１２】
2004274469.tif 000014
【図１３】
2004274469.tif 000015
【図１４】
2004274469.tif 000016
【図１５】
2004274469.tif 000017
【図１６】
2004274469.tif 000018
【図１７】
2004274469.tif 000019
【図１８】
2004274469.tif 000020
【図１９】
2004274469.tif 000021
【図２０】
2004274469.tif 000022
【図２１】
2004274469.tif 000023
【図２２】
2004274469.tif 000024
【図２３】
2004274469.tif 000025
【図２４】
2004274469.tif 000026
【図２５】
2004274469.tif 000027
【図２６】
2004274469.tif 000028
【図２７】
2004274469.tif 000029
【図２８】
2004274469.tif 000030
【図２９】
2004274469.tif 000031
【図３０】
2004274469.tif 000032
【図３１】
2004274469.tif 000033